(57)【要約】      （修正有）【課題】多数種提供されている郵便サービスに適用でき、手元の郵便物が各種郵便サービスに規定する長辺寸法、短辺寸法、厚さ寸法に適合するかを簡単かつ迅速に確認できる郵便物の寸法確認用定規を提供する。【解決手段】郵便物が郵便サービスが指定する長辺、短辺、及び厚さ寸法を備えるかを確認するための定規であって、平板状の薄板で形成された四辺形をなす定規本体４１を具備し、定規本体４１の一方の面には、各郵便サービスで規定された許容長辺及び許容短辺の実寸法で表示された複数の規格枠１１と、記四辺形の一つの辺部に臨んで表示された寸法目盛１９とが表示されており、定規本体４１には、各郵便サービスが規定する許容厚さ寸法の開口高さと許容短辺寸法より大きな幅開口幅寸法の開口幅を備える複数の厚さ検定孔部２１、２５、２９が各郵便サービスに対応して開設されている。【選択図】図１
0003212526.tif 000002
【実用新案登録請求の範囲】
【請求項１】
郵便物が郵便サービスにより許容される長辺、短辺、及び厚さ寸法を備えるかを確認するための定規であって、
平板状の薄板で形成された四辺形をなす定規本体を具備し、
前記定規本体の一方の面には、各郵便サービスで規定された許容長辺及び許容短辺の実寸法で表示された複数の規格枠と、前記定規本体の一つの辺部に臨んで表示された寸法目盛とが表示されており、
さらに前記定規本体には、各郵便サービスが規定する許容厚さ寸法の開口高さと許容短辺寸法より大きな幅開口幅寸法の開口幅を備える複数の厚さ検定孔部が各郵便サービスに対応して開設されている、
ことを特徴とする郵便物の寸法確認用定規。
【請求項２】
前記定規本体の前記一方の面には、前記厚さ検定孔部の開口部に隣接して、当該厚さ検定孔部を規定する郵便サービスが許容する長辺及び短辺のうち少なくとも一方の許容寸法の実寸法を示す寸法判定線分が表示されていることを特徴とする請求項１に記載の郵便物の寸法確認用定規。
【請求項３】
前記規格枠に隣接して当該規格枠を規定する郵便サービス名と、許容寸法値とを表示したことを特徴とする請求項１に記載の郵便物の寸法確認用定規。
【請求項４】
前記定規本体の少なくとも一方の面には、予め選択した郵便サービスの名称が表示され、この名称の表示に隣接して、前記郵便サービスが許容する厚さ寸法の表示、許容する重量の表示、私信同包の可否の表示、われものの可否の表示、及び現金同包不可の表示のうち選択した表示を記載したことを特徴とする請求項１に記載の郵便物の寸法確認用定規。
【請求項５】
前記規格枠を構成する４つの辺部のうち一つの辺部を前記定規本体の一辺とし、他の３つの辺部を前記一つの面に表示したことを特徴とする請求項１に記載の郵便物の寸法確認用定規。
【請求項６】
前記郵便サービスが定形郵便、定形外郵便（規格内）、定形物郵便（規格外）、スマートレター、レターパックライト、ゆうパケット、はがきから選択されたものであることを特徴とする請求項１に記載の郵便物の寸法確認用定規。
【考案の詳細な説明】
【技術分野】
【０００１】
本考案は、各種郵便物の寸法を確認するための定規に関する。
【背景技術】
【０００２】
郵便サービスとして様々な種類のものが提供されている。利用者は、郵送物の種類、大きさ、重量、目的により郵送サービスを使い分ける。私信や印刷物、物品を送る郵便サービスとして、定形郵便、定形外郵便（規格内、規格外）、スマートレター、レターパックライト、があり、第二種郵便物としてはがき、往復はがきがある。そして、郵便物の種類ごとに、それぞれ最大サイズ、最小サイズ、最大重量等が定められている。図２に各郵便サービスが規定するサイズ、重量を表に示した。
【０００３】
郵便サービスの利用者は、送付する物品を封筒や収納箱に封入して所定料金の切手を貼付し、所望の種類の郵便としてポストに投函し、又は郵便局に差し出すことによりサービスを利用する。このとき郵便サービスの利用者は、投函したり差し出したりする郵便物の大きさや重量が選択した種類の郵便サービスに適合するかを確認しておく必要がある。差し出した郵便物が所望の規格に合致しないと、切手の不足が生じたり、サービスが利用できなかったりする。
【０００４】
郵便サービスの利用者が、差し出す郵便物が利用しようとする郵便サービスの規格に合致するかを簡単に確かめるため、郵便物の寸法確認用の寸法線を表示し、厚さを確認用の孔を設けた定規が提案されている（特許文献１、特許文献２、特許文献３参照）。
【先行技術文献】
【特許文献】
【０００５】
【特許文献１】実登３００６１１６号公報
【特許文献２】実開昭５９−６８２０１号公報
【特許文献３】実開昭５８−５４５０１号公報
【考案の概要】
【考案が解決しようとする課題】
【０００６】
しかし、特許文献１、特許文献２、特許文献３に示す従来の技術は、多種に亘る現在の郵便サービスに対応していない。即ち、１種類の郵便サービスが規定する長短寸法や厚さ寸法を確認できるだけに過ぎない。
【０００７】
本考案は上述した課題に鑑みたものであり、多数種提供されている郵便サービスに適用でき、手元の郵便物が各種郵便サービスに規定する長辺寸法、短辺寸法、厚さ寸法に適合するかを簡単かつ迅速に確認できる定規を提供することを目的とする。
【課題を解決するための手段】
【０００８】
前記課題を解決する請求項１に記載の考案は、郵便物が郵便サービスにより許容される長辺、短辺、及び厚さ寸法を備えるかを確認するための定規であって、平板状の薄板で形成された四辺形をなす定規本体を具備し、前記定規本体の一方の面には、各郵便サービスで規定された許容長辺及び許容短辺の実寸法で表示された複数の規格枠と、記四辺形の一つの辺部に臨んで表示された寸法目盛とが表示されており、前記定規本体には、各郵便サービスが規定する許容厚さ寸法の開口高さと許容短辺寸法より大きな幅開口幅寸法の開口幅を備える複数の厚さ検定孔部が各郵便サービスに対応して開設されている、ことを特徴とする郵便物の寸法確認用定規である。
【０００９】
本考案によれば、郵便サービスに基づいて実寸法で表示された規格枠に郵便物を当てることにより、郵便物が当該郵便サービスに適合するサイズであるかが判定でき、また、寸法目盛で郵便物の寸法を確認できる。さらに、特定の郵便サービスに基づく厚さ検定孔部に郵便物が通過するか否かで、郵便物が当該郵便サービスに適合する厚さ寸法であるかが判定できる。
よって、元の郵便物が各種郵便サービスに規定する長辺寸法、短辺寸法、厚さ寸法に適合するかを簡単かつ迅速に確認できる。
【００１０】
同じく請求項２に記載の考案は、前記定規本体の前記一方の面には、前記厚さ検定孔部の開口部に隣接して、当該厚さ検定孔部を規定する郵便サービスが許容する長辺及び短辺のうち少なくとも一方の許容寸法の実寸法を示す寸法判定線分が表示されていることを特徴とする。
【００１１】
本考案によれば、特定の郵便サービスに基づく厚さ検定孔部に郵便物を通すとき、長辺又は短辺を許容寸法で表示された寸法判定線分と比較することにより当該郵便物の長辺又は短辺の寸法が当該郵便サービスに適合するかが判定できる。
よって、郵便物の長辺又は短辺の長さが特定の郵便物サービスに適合するか否かが簡単かつ迅速に確認できる。
【００１２】
同じく請求項３に記載の考案は、前記規格枠に隣接して当該規格枠を規定する郵便サービス名と、許容寸法値とを表示したことを特徴とする。
本考案によれば、郵便物を規格枠に当てるに際して、当該規格を規定する郵便サービス名と、許容寸法値とを確認できる。
よって、郵便サービス名を確認することで、郵便物をどの規格枠に郵便物を当てれば良いかが簡単にわかる他、当該郵便サービスの許容する寸法を認識できる。
【００１３】
同じく請求項４に記載の考案は、前記定規本体の一方の面には、予め選択した郵便サービスの名称が表示され、この名称の表示に隣接して、前記郵便サービスが許容する厚さ寸法の表示、許容する重量の表示、私信同包の可否の表示、われものの可否の表示、及び現金同包不可の表示のうち選択した表示を記載したことを特徴とする。
【００１４】
本考案によれば、郵便物の寸法確認用定規の使用者は、郵便サービス名と当該郵便サービスが許容する厚さ寸法、許容する重量、私信同包の可否、われものの可否、及び現金同包不可についての情報を確認することができる。
よって、郵便物の寸法確認用定規の使用者は、郵便サービスで送れる郵便物についての条件をより正確に認識できる。
【００１５】
同じく請求項５に記載の考案は、前記規格枠を構成する４つの辺部のうち一つの辺部を前記定規本体の一辺とし、他の３つの辺部を前記一つの面に表示したことを特徴とする。
【００１６】
本考案によれば、規格枠は一つの辺部を定規本体の一辺とし、他の３辺を定規本体に表示されたものとして構成される。
よって、郵便物の一辺を規格枠の一辺を構成する定規本体の一辺にそろえることで、郵便物と規格枠の位置合わせを行える。
【００１７】
同じく請求項６に記載の考案は、前記郵便サービスが定形郵便、定形外郵便（規格内）、定形物郵便（規格外）、スマートレター、レターパックライト、ゆうパケット、はがきから選択されたものであることを特徴とする。
本考案によれば、手元の郵便物が定形郵便、定形郵便、定形外郵便（規格内）、定形物郵便（規格外）、スマートレター、レターパックライト、ゆうパケット、はがきのいずれかで許容されるものかを簡単に確認できる。
【考案の効果】
【００１８】
本考案に係る郵便物の寸法確認用定規によれば、多数種提供されている郵便サービスに適用でき、手元の郵便物が各種郵便サービスに規定する長辺寸法、短辺寸法、厚さ寸法に適合するかを簡単かつ迅速に確認できる。
【００１９】
即ち、請求項１に記載の郵便物の寸法確認用定規によれば、郵便サービスに基づく規格枠に郵便物を当てることにより、郵便物が当該郵便サービスに適合するサイズであるかが判定でき、また、寸法目盛で郵便物の寸法を確認でき、さらに、特定の郵便サービスに基づく厚さ検定孔部に郵便物が通過するか否かで、郵便物が当該郵便サービスに適合する厚さ寸法であるかが判定できる。
よって、元の郵便物が各種郵便サービスに規定する長辺寸法、短辺寸法、厚さ寸法に適合するかを簡単かつ迅速に確認できる。で、手元の郵便物が各種郵便サービスに規定する長辺寸法、短辺寸法、厚さ寸法に適合するかを簡単かつ迅速に確認できるという効果を有する。
【００２０】
また、請求項２に記載の郵便物の寸法確認用定規によれば、特定の郵便サービスに基づく厚さ検定孔部に郵便物を通すとき、長辺又は短辺を寸法判定線分と比較することで当該郵便物の長辺又は短辺の寸法が当該郵便サービスに適合するかが判定できる。よって、請求項１の考案が有する効果に加えて郵便物の長辺又は短辺の長さが特定の郵便物サービスに適合するか否かが簡単かつ迅速に確認できるという効果を有する。
【００２１】
また、請求項３に記載の郵便物の寸法確認用定規によれば、郵便物を規格枠に当てるに際して、当該規格枠の郵便サービス名と、許容寸法値とを確認できる。
よって、請求項１か有する効果に加えて、郵便サービス名を確認することで、郵便物をどの規格枠に郵便物を当てれば良いかが簡単にわかる他、当該郵便サービスの許容する寸法を認識できるという効果を有する。
【００２２】
また、請求項４に記載の郵便物の寸法確認用定規によれば、郵便物の寸法確認用定規の使用者は、郵便サービス名と当該郵便サービスが許容する厚さ寸法、許容する重量、私信同包の可否、われものの可否、及び現金同包不可についての情報を確認することができる。
よって、請求項１が有する効果に加えて、郵便物の寸法確認用定規の使用者は、郵便サービスで送れる郵便物についての条件をより正確に認識できるという効果を有する。
【００２３】
さらに、請求項５に記載の郵便物の寸法確認用定規によれば、規格枠は一つの辺部を定規本体の一辺とし、他の３辺を定規本体に表示されたものとして構成される。
よって、請求項１の考案が有する効果に加えて、郵便物の一辺を規格枠の一辺を構成する定規本体の一辺にそろえることで、郵便物と規格枠の位置合わせを行えるという効果を有する。
【００２４】
そして、請求項６に記載の郵便物の寸法確認用定規によれば、手元の郵便物が定形郵便、定形郵便、定形外郵便（規格内）、定形物郵便（規格外）、スマートレター、レターパックライト、ゆうパケット、はがきのいずれで許容されるものかを簡単に確認できるという効果を有する。
【図面の簡単な説明】
【００２５】
【図１】本考案の実施形態に係る郵便物の寸法確認用定規の平面図である。
【図２】各種の郵便サービスで許容される重量及びサイズを示す表である。
【考案を実施するための形態】
【００２６】
本考案を実施するための形態に係る郵便物の寸法確認用定規を図面に基づいて説明する。図１は本考案の実施形態に係る郵便物の寸法確認用定規の平面図、図２は各種の郵便サービスで許容される重量及びサイズを示す表である。
【００２７】
本考案の実施形態に係る郵便物の寸法確認用定規４０（以下、単に寸法確認用定規４０という）は、郵便物が郵便サービスにより許容される長辺、短辺、及び厚さ寸法を備えるかを確認するための定規であって、平板状の薄板で形成された四辺形をなす定規本体を具備し、前記定規本体の一方の面には、各郵便サービスで規定された許容長辺及び許容短辺の実寸法で表示された複数の規格枠と、前記定規本体の一つの辺部に臨んで表示された寸法目盛とが表示されており、さらに前記定規本体には、各郵便サービスが規定する許容厚さ寸法の開口高さと許容短辺寸法より大きな幅開口幅寸法の開口幅を備える複数の厚さ検定孔部が各郵便サービスに対応して開設されている。
【００２８】
この寸法確認用定規４０は、手元の郵便物が、郵便サービスにより許容される長辺寸法、短辺寸法、及び厚さ寸法であるか否かを確認するために使用される。
【００２９】
本実施形態に係る寸法確認用定規４０は、厚さ０．８ｍｍのＰＣＶ（塩化ビニル樹脂）製の薄板で形成された定規本体４１に各種の表示と孔部を形成したものである。定規本体４１は、例えば長辺３５８ｍｍ、短辺２７２ｍｍの四辺形（長方形）をなす。また、定規本体４１の隅部には、吊り下げ紐等を通す孔部４５が開設されている。
【００３０】
本実施形態において、定規本体４１の一方の表面４２は、白色であり４種の規格枠１１、１３、１５、１７が表示されている。各規格枠１１、１３、１５、１７は、各郵便サービスで規定された許容長辺及び許容短辺の実寸法で表示されており、定規本体４１の長辺部４３を一つの辺とし、他の３つの辺を表面４２に記載して構成されている。これにより、郵便物の一辺を定規本体４１の長辺部４３にそろえることで、郵便物と規格枠１１、１３、１５、１７の位置合わせを行え、簡単に郵便物のサイズを規格枠１１、１３、１５、１７と比較確認できる。
【００３１】
ここで、規格枠１１は、定形郵便の最小限の大きさを実寸法、緑線で示しており、規格枠１１の内部に「定形最小限（１４ｃｍ×９ｃｍ）」との記載がなされた記載欄１２が表示されている。また、規格枠１３は、はがきの最大限の大きさを実寸法、黒線で示しており、規格枠１３の内部に「はがき最大限（１４．４ｃｍ×１０．７ｃｍ）」の記載がなされた記載欄１４が表示されている。さらに、規格枠１５は、定形郵便の最大限の大きさを実寸法、緑線で示しており、規格枠１５の内部に「定形最大限（２３．５ｃｍ×１２ｃｍ）」の記載がなされた記載欄１６が表示されている。そして、規格枠１７は、定形外（規格内）の最大限の大きさを実寸法、緑線で示しており、規格枠１７の内部に「定形外（規格内）最大限（３４ｃｍ×２５ｃｍ）」の記載がなされた記載欄１８が表示されている。
【００３２】
寸法確認用定規４０の使用者は、記載欄１２、１４、１６、１８を参照することにより、複数表示された規格枠１１、１３、１５、１７がそれぞれどの種類の郵便サービスに適合するかを簡単かつ確実に認識できる。
【００３３】
また、本実施形態に係る寸法確認用定規４０では、定規本体４１の表面４２には定規本体４１の他の長辺部４４に臨んで寸法目盛１９が表示されている。この表示は１ｍｍ、１ｃｍ単位で記載されており、手元の郵便物の寸法を測定することができる。さらに、寸法目盛１９と規格枠１７との間には、定形外（規格内）の最大長辺寸法である３４ｃｍの実寸法を示す矢印付きの寸法判定線分２０が「長辺３４ｃｍ以内」の表記と共に表示されている。この寸法判定線分２０により、郵便物の長辺の寸法を定形外（規格内）の最大長辺と比較できる。
【００３４】
さらに、寸法確認用定規４０の定規本体４１には、複数の厚さ検定孔部２１、２５、２９が各郵便サービスに対応して開設されている。厚さ検定孔部２１、２５、２９は、各郵便サービスが規定する許容厚さ寸法の開口高さと許容短辺寸法より大きな幅開口幅寸法の開口幅を備える。
【００３５】
ここで、厚さ検定孔部２１は、定形郵便と、ゆうパケット（１ｃｍ）の厚さを確認するために使用される。このため、厚さ検定孔部２１は、開口高さ１ｃｍ、開口幅寸法２９ｃｍとしている。開口高さは定形郵便と、ゆうパケット（１ｃｍ）の最大厚さ寸法に対応し、開口幅寸法は、定形郵便とゆうパケットが余裕をもって挿通できる寸法としている。また、厚さ検定孔部２１の両端は挿通させる郵便物を傷付けないため湾曲部を備える。
【００３６】
そして、厚さ検定孔部２１の上部には厚さ検定孔部２１の幅方向に沿って、定形郵便の最大の長辺を示す両側に矢印を備える寸法判定線分２２が「長辺２３．５ｃｍ以内」の表記をともに実寸法、緑色に表示されている。
【００３７】
さらに、厚さ検定孔部２１の図中左側部には、「定形郵便厚さ１ｃｍ以内」との許容厚さ表示２３が緑色で、同右側部には、「ゆうパケット厚さ１ｃｍ以内」の許容厚さ表示２４が赤色で記載されている。これにより、厚さ検定孔部２１が定形郵便及びゆうパケット用であることがわかる。
【００３８】
また、厚さ検定孔部２５は、スマートレターと、ゆうパケット（２ｃｍ）の厚さを確認するために使用される。このため、厚さ検定孔部２５は、開口高さ２ｃｍ、開口幅寸法２９ｃｍとしている。開口高さはスマートレターと、ゆうパケット（２ｃｍ）の最大厚さ寸法に対応し、開口幅寸法は、スマートレターとゆうパケットが余裕をもって挿通できる寸法としている。また、厚さ検定孔部２５の両端は挿通させる郵便物を傷付けないため湾曲部を備える。
【００３９】
そして、厚さ検定孔部２５の上部には、厚さ検定孔部２５の幅方向に沿って、スマートレターの最大の短辺を示す両側に矢印を備える寸法判定線分２６が「短辺１７ｃｍ以内」の表記をともに実寸法、水色で表示されている。
【００４０】
さらに、厚さ検定孔部２５の図中左側部には、「スマートレター厚さ２ｃｍ以内」の許容厚さ表示２７が水色で表示され、同右側部には、「ゆうパケット厚さ２ｃｍ以内」の許容厚さ表示２８が赤色で表示されている。これにより、厚さ検定孔部２５がスマートレター及びゆうパケット（２ｃｍ）用であることがわかる。
【００４１】
また、厚さ検定孔部２９は、定形外郵便（規格外）、レターパックライト、及び、ゆうパケット（３ｃｍ）の厚さを確認するために使用される。このため、厚さ検定孔部２９は、開口高さ３ｃｍ、開口幅寸法２９ｃｍとしている。開口高さはスマートレターと、ゆうパケット（２ｃｍ）の最大厚さ寸法に対応し、開口幅寸法は、スマートレターとゆうパケットが余裕をもって挿通できる寸法としている。また、厚さ検定孔部２９の両端は挿通させる郵便物を傷付けないため湾曲部を備える。
【００４２】
また、厚さ検定孔部２９の上部には厚さ検定孔部２９の幅方向に沿って、レターパックライトの最大の短辺を示す両側に矢印を備える寸法判定線分３０が「短辺２４．８ｃｍ以内」の表記を実寸法、青色で表示されている。
【００４３】
さらに、厚さ検定孔部２９の図中左側部には、「定型外郵便（規格内）」の表示が緑色でなされ、「レターレターパックライト厚さ３ｃｍ以内」が青色でなされた許容厚さ表示３１が記載され、同右側部には、「ゆうパケット厚さ３ｃｍ以内」の許容厚さ表示３２が赤色で記載されている。これにより、厚さ検定孔部２９が定型外郵便（規格内）、レターパックライト及びゆうパケット（３ｃｍ）用であることがわかる。
【００４４】
また、定規本体４１の表面４２には、各種郵便サービスの名称が記載され、さらに、この名称の表示に隣接して、記載された郵便サービスが許容する郵便物の厚さ寸法の表示、許容する重量の表示、私信同包の可否の表示、われものの可否の表示、及び現金同包不可である旨の案内表示がなされている。
【００４５】
即ち、定規本体４１の表面４２には、スマートレターについての案内表示３３が水色で、レターパックライトについての案内表示３４が青色で、ゆうパケットについての案内表示３５が赤色で、定形郵便についての案内表示３６及び定形外郵便（規格内）についての案内表示３７が緑色で、それぞれ文字、記号等として記載されている。
【００４６】
ここで、各案内表示の表示色は、寸法判定線分２２、許容厚さ表示２３、許容厚さ表示２４、寸法判定線分２６、許容厚さ表示２７、許容厚さ表示２８、寸法判定線分３０、許容厚さ表示３１、許容厚さ表示３２と郵便サービスの種類ごとに統一している。このため、どの郵便サービスに基づいて郵便物を判定しているかが理解しやすい。
【００４７】
即ち、スマートレターについての案内表示３３には、厚さ２ｃｍ以内、重量１ｋｇ以内、私信ＯＫ、われもの不可、現金不可の記載がなされている。また、レターパックライトについての案内表示３４には、厚さ３ｃｍ以内、重量４ｋｇ以内、私信ＯＫ、われもの不可、現金不可の記載がなされている。さらに、ゆうパケットについての案内表示３５には、厚さ１ｃｍ・２ｃｍ・３ｃｍ、重量１ｋｇ以内、私信不可、現金不可の記載がなされている。
【００４８】
また、定形郵便についての案内表示３６には、最小限（１４ｃｍ×９ｃｍ）、最大限（２３．５ｃｍ×１２ｃｍ）、厚さ１ｃｍ以内、重量５０ｇ以内の表示がなされている。さらに、定形外郵便（規格内）についての案内表示３７には、最大限（３４ｃｍ×２５ｃｍ）、厚さ３ｃｍ以内、重量１ｋｇ以内の記載がなされている。さらに、定規本体４１には、寸法確認用定規４０の使用上の注意事項３８が記載されている。
【００４９】
以上のように、本実施形態に係る寸法確認用定規４０によれば、手元の郵便物を特定の郵便サービスで発送しようとするとき、当該郵便サービスの許容する長辺、短辺及び厚さ寸法が適正あるかを、郵便物を規格枠に当てること、及び郵便物を厚さ検定孔部に挿通することより同サービスが許容する厚さであるかを確認できる。
【００５０】
このような寸法確認用定規４０は、郵便の利用者、郵便局、郵便ポストを備えるコンビニエンスストアに備え付けることにより、利用者が郵便物の差し出し前に簡単に長辺、短辺及び厚さの寸法を確認できる。
【００５１】
なお、上記実施形態に係る寸法確認用定規４０は、厚さ０．８ｍｍのＰＣＶ（塩化ビニル樹脂）製の薄板で長辺３５８ｍｍ、短辺２７２ｍｍの四辺形（長方形）をなす者としたが、寸法確認用定規４０の材質、厚さ、寸法は適宜変更できる。また、寸法確認用定規４０では、寸法確認をできる郵便サービスを定形郵便、定形外郵便（規格内）、定形物郵便（規格外）、スマートレター、レターパックライト、ゆうパケット、はがきとしたが、この数は適宜変更することができる。また、郵便サービスの変更に基づいて、規格枠や厚さ検定孔部の寸法を変更することができる。さらに、規格枠や厚さ検定孔部の配置位置は適宜変更できる。
【産業上の利用可能性】
【００５２】
本考案に係る郵便物の寸法確認用定規は、多数種提供されている郵便サービスに適用でき、手元の郵便物が各種郵便サービスに規定する長辺寸法、短辺寸法、厚さ寸法に適合するかを簡単かつ迅速に確認でき産業上の利用可能性がある。
【符号の説明】
【００５３】
１１：規格枠
１２：記載欄
１３：規格枠
１４：記載欄
１５：規格枠
１６：記載欄
１７：規格枠
１８：記載欄
１９：寸法目盛
２０：寸法判定線分
２１：厚さ検定孔部
２２：寸法判定線分
２３：許容厚さ表示
２４：許容厚さ表示
２５：厚さ検定孔部
２６：寸法判定線分
２７：許容厚さ表示
２８：許容厚さ表示
２９：厚さ検定孔部
３０：寸法判定線分
３１：許容厚さ表示
３２：許容厚さ表示
３３：案内表示
３４：案内表示
３５：案内表示
３６：案内表示
３７：案内表示
３８：注意事項
４０：寸法確認用定規
４１：定規本体
４２：表面
４３：長辺部
４４：長辺部
４５：孔
【図１】
0003212526.tif 000003
【図２】
0003212526.tif 000004